(57)【要約】【課題】接続式の記録媒体にアクセスする操作を容易にすることである。【解決手段】接続式の記録媒体としてのＵＳＢメモリ２２が接続されるＵＳＢコントローラ１４と、ＵＳＢメモリ２２のアクセス指示の入力操作を受け付ける操作部１３と、前記アクセス指示が入力されると、ＵＳＢコントローラ１４にアクセス対象のＵＳＢメモリ２２が接続されたか否かを判別し、ＵＳＢメモリ２２が接続されたと判別すると、当該アクセス指示に対応する処理を実行するシステムマイコン１１と、を備える。【選択図】図１
2008203742.tif 000002
【特許請求の範囲】
【請求項１】
接続式の記録媒体が接続される接続手段と、
前記記録媒体のアクセス指示の入力操作を受け付ける操作手段と、
前記アクセス指示が入力されると、前記接続手段にアクセス対象の記録媒体が接続されたか否かを判別し、当該記録媒体が接続されたと判別すると、当該アクセス指示に対応する処理を実行する制御手段と、を備えることを特徴とする情報処理装置。
【請求項２】
データの再生を行う再生手段を備え、
前記操作手段は、再生対象の記録媒体に記録されたデータの再生指示の入力操作を受け付け、
前記制御手段は、前記再生指示が入力されると、前記接続手段に再生対象の記録媒体が接続されたか否かを判別し、当該記録媒体が接続されたと判別すると、当該記録媒体に記録されたデータを前記再生手段に再生させることを特徴とする請求項１に記載の情報処理装置。
【請求項３】
情報を表示する第１の表示手段を備え、
前記制御手段は、前記再生指示が入力されて且つ前記接続手段に再生対象の記録媒体が接続されていない場合に、当該記録媒体のデータの再生要求がある旨を前記第１の表示手段に表示させることを特徴とする請求項２に記載の情報処理装置。
【請求項４】
前記接続式の記録媒体にデータの記録を行う記録手段を備え、
前記操作手段は、記録先の記録媒体へのデータの記録指示の入力操作を受け付け、
前記制御手段は、前記記録指示が入力されると、前記接続手段に記録先の記録媒体が接続されたか否かを判別し、当該記録媒体が接続されたと判別すると、前記記録手段に記録対象のデータを当該記録媒体に記録させることを特徴とする請求項１から３のいずれか一項に記載の情報処理装置。
【請求項５】
情報を表示する第２の表示手段を備え、
前記制御手段は、前記記録指示が入力されて且つ前記接続手段に記録先の記録媒体が接続されていない場合に、当該記録媒体へのデータの記録要求がある旨を前記第２の表示手段に表示させることを特徴とする請求項４に記載の情報処理装置。
【請求項６】
接続式の記録媒体のアクセス指示の入力操作を受け付ける工程と、
前記アクセス指示が入力されると、接続式の記録媒体が接続される接続手段にアクセス対象の記録媒体が接続されたか否かを判別し、当該記録媒体が接続されたと判別すると、当該アクセス指示に対応する処理を実行する工程と、を含むことを特徴とする情報処理方法。
【請求項７】
コンピュータを、
接続式の記録媒体が接続される接続手段、
前記記録媒体のアクセス指示の入力操作を受け付ける操作手段、
前記アクセス指示が入力されると、前記接続手段にアクセス対象の記録媒体が接続されたか否かを判別し、当該記録媒体が接続されたと判別すると、当該アクセス指示に対応する処理を実行する制御手段、
として機能させるための情報処理プログラム。
【発明の詳細な説明】
【技術分野】
【０００１】
本発明は、情報処理装置、情報処理方法及び情報処理プログラムに関する。
【背景技術】
【０００２】
従来、ＣＤ（Compact Disc）等の光ディスクや、ＵＳＢ（Universal Serial Bus）メモリ、ＳＤ（Secure Digital）カード等の接続式の記録媒体に記録されたデータを再生する再生装置が実施されている。
【０００３】
ここで、図６を参照して、ＣＤ及びＵＳＢメモリを切り替えて楽曲データを再生する再生装置の動作を説明する。図６に、従来のＵＳＢ再生処理の流れを示す。この再生装置は、ＣＤ、ＵＳＢメモリの入力セレクタと、入力セレクタスイッチ、停止キー、各再生専用のＵＳＢ再生キー及びＣＤ再生キーを有する操作部と、従来のＵＳＢ再生処理を実行する制御部と、ＣＤ，ＵＳＢメモリの再生部と、を備える装置を説明する。この入力セレクタにより再生対象を各種記録媒体で切り替え、各再生キーの押下により、再生対象の記録媒体のデータを読み出して再生する。
【０００４】
この再生装置において、ＣＤの再生について説明する。ＣＤ再生キーを押下することにより、入力セレクタがＣＤ以外に切り替えられている場合でも、ＣＤのディスクがセットされている場合に、入力セレクタをＣＤに自動的に切り換え、ＣＤの再生を行う。ＣＤのディスクがセットされていない場合には、入力セレクタをＣＤ側に切り換えのみを行う。その後、ＣＤのディスクがセットされた場合には、ＣＤのＴＯＣ（Table Of Contents）データが読み込まれ、データの再生は、実行されない。
【０００５】
次いで、ＵＳＢメモリのデータ再生について説明する。図６に示すように、先ず、ＵＳＢ再生キーが押下入力されたか否かが判別される（ステップＳ５１）。ＵＳＢ再生キーが入力されていない場合（ステップＳ５１；ＮＯ）、ステップＳ５１に移行される。ＵＳＢ再生キーが入力された場合（ステップＳ５１；ＹＥＳ）、入力セレクタがＵＳＢメモリ側に切り替えられているか否かが判別される（ステップＳ５２）。入力セレクタがＵＳＢメモリ側に切り替えられていない場合（ステップＳ５２；ＮＯ）、入力セレクタがＵＳＢメモリ側に切り替えられる（ステップＳ５３）。
【０００６】
入力セレクタがＵＳＢメモリ側に切り替えられている場合（ステップＳ５２；ＹＥＳ）、又はステップＳ５３の実行後、ＵＳＢ端子にＵＳＢメモリが接続されているか否かが判別される（ステップＳ５４）。ＵＳＢ端子にＵＳＢメモリが接続されていない場合（ステップＳ５４；ＮＯ）、ステップＳ５１に移行される。ＵＳＢ端子にＵＳＢメモリが接続されている場合（ステップＳ５４；ＹＥＳ）、接続中のＵＳＢメモリの管理データの読込みが完了したか否かが判別される（ステップＳ５５）。ＵＳＢメモリの管理データの読込みが完了していない場合（ステップＳ５５；ＮＯ）、ステップＳ５５に移行される。
【０００７】
ＵＳＢメモリの管理データの読込みが完了した場合（ステップＳ５５；ＹＥＳ）、ＵＳＢメディアの再生部に、ＵＳＢメモリの楽曲データの再生要求がなされ、その再生が開始される（ステップＳ５６）。そして、ＵＳＢメモリの楽曲データの再生が終了したか否かが判別される（ステップＳ５７）。ＵＳＢメモリの楽曲データの再生が終了していない場合（ステップＳ５７；ＮＯ）、停止キーが押下入力されたか否かが判別される（ステップＳ５８）。停止キーが押下入力されていない場合（ステップＳ５８；ＮＯ）、ステップＳ５７に移行される。
【０００８】
ＵＳＢメモリの楽曲データの再生が終了した場合（ステップＳ５７；ＹＥＳ）、又は停止キーが押下入力された場合（ステップＳ５８；ＹＥＳ）、ＵＳＢメモリの再生部に、ＵＳＢメモリのデータの再生停止要求がなされ、その再生が停止され（ステップＳ５９）、従来のＵＳＢ再生処理が終了する。
【０００９】
また、ビデオテープに記録されたデータを再生する再生装置がある。この再生装置において、電源オフの状態で再生キーを押下入力した場合に、電源オン後に、ビデオテープがセットされていると、そのビデオテープカセットのデータを自動再生する再生装置が実施されている（例えば、特許文献１参照）。
【特許文献１】特開平６−１３９６５４号公報
【発明の開示】
【発明が解決しようとする課題】
【００１０】
しかし、従来の再生装置では、電源オンの状態で、ＵＳＢメモリ等の接続式の記録媒体に対し、その接続式の記録媒体が予め接続されていないと、一度の再生キーの押下でアクセスとしてのデータの再生を行うことができなかった。例えば、図６のＵＳＢ再生処理に対応する再生装置において、ＵＳＢメモリがＵＳＢ端子に接続されていないと、ＵＳＢの再生キーが入力されても、入力セレクタをＵＳＢ側に切り替えるのみであった。このため、ユーザは、ＵＳＢメモリをＵＳＢ端子に接続し、もう一度再生キーが入力せねばらず、操作が煩わしかった。
【００１１】
加えて、ＵＳＢ等の記録媒体では、その記録媒体を接続しても、その記録媒体を認識するまでに時間がかかるため、その認識が完了するまでは再生キーの入力が有効にならなかった。このため、ユーザは、再生キーの再度の押下を記録媒体の認識が完了するまで待たねばならず、さらに操作が煩わしくなっていた。また、接続式の記録媒体へのアクセスとしてのデータ記録でも同様に操作が煩わしかった。
【００１２】
本発明の課題は、接続式の記録媒体にアクセスする操作を容易にすることである。
【課題を解決するための手段】
【００１３】
上記課題を解決するため、請求項１に記載の発明の情報処理装置は、
接続式の記録媒体が接続される接続手段と、
前記記録媒体のアクセス指示の入力操作を受け付ける操作手段と、
前記アクセス指示が入力されると、前記接続手段にアクセス対象の記録媒体が接続されたか否かを判別し、当該記録媒体が接続されたと判別すると、当該アクセス指示に対応する処理を実行する制御手段と、を備えることを特徴とする。
【００１４】
請求項２に記載の発明は、請求項１に記載の情報処理装置において、
データの再生を行う再生手段を備え、
前記操作手段は、再生対象の記録媒体に記録されたデータの再生指示の入力操作を受け付け、
前記制御手段は、前記再生指示が入力されると、前記接続手段に再生対象の記録媒体が接続されたか否かを判別し、当該記録媒体が接続されたと判別すると、当該記録媒体に記録されたデータを前記再生手段に再生させることを特徴とする。
【００１５】
請求項３に記載の発明は、請求項２に記載の情報処理装置において、
情報を表示する第１の表示手段を備え、
前記制御手段は、前記再生指示が入力されて且つ前記接続手段に再生対象の記録媒体が接続されていない場合に、当該記録媒体のデータの再生要求がある旨を前記第１の表示手段に表示させることを特徴とする。
【００１６】
請求項４に記載の発明は、請求項１から３のいずれか一項に記載の情報処理装置において、
前記接続式の記録媒体にデータの記録を行う記録手段を備え、
前記操作手段は、記録先の記録媒体へのデータの記録指示の入力操作を受け付け、
前記制御手段は、前記記録指示が入力されると、前記接続手段に記録先の記録媒体が接続されたか否かを判別し、当該記録媒体が接続されたと判別すると、前記記録手段に記録対象のデータを当該記録媒体に記録させることを特徴とする。
【００１７】
請求項５に記載の発明は、請求項４に記載の情報処理装置において、
情報を表示する第２の表示手段を備え、
前記制御手段は、前記記録指示が入力されて且つ前記接続手段に記録先の記録媒体が接続されていない場合に、当該記録媒体へのデータの記録要求がある旨を前記第２の表示手段に表示させることを特徴とする。
【００１８】
請求項６に記載の発明の情報処理方法は、
接続式の記録媒体のアクセス指示の入力操作を受け付ける工程と、
前記アクセス指示が入力されると、接続式の記録媒体が接続される接続手段にアクセス対象の記録媒体が接続されたか否かを判別し、当該記録媒体が接続されたと判別すると、当該アクセス指示に対応する処理を実行する工程と、を含むことを特徴とする。
【００１９】
請求項７に記載の発明の情報処理プログラムは、
コンピュータを、
接続式の記録媒体が接続される接続手段、
前記記録媒体のアクセス指示の入力操作を受け付ける操作手段、
前記アクセス指示が入力されると、前記接続手段にアクセス対象の記録媒体が接続されたか否かを判別し、当該記録媒体が接続されたと判別すると、当該アクセス指示に対応する処理を実行する制御手段、
として機能させる。
【発明の効果】
【００２０】
本発明によれば、接続式の記録媒体にアクセスする操作を容易にできる。
【発明を実施するための最良の形態】
【００２１】
以下、添付図面を参照して本発明に係る実施の形態及びその変形例を順に詳細に説明する。ただし、発明の範囲は、図示例に限定されない。
【００２２】
図１〜図３を参照して、本発明に係る実施の形態を説明する。
【００２３】
先ず、図１を参照して、本実施の形態のオーディオ装置１００の装置構成を説明する。図１に、本実施の形態のオーディオ装置１００の構成を示す。
【００２４】
図１に示すように、情報処理装置としてのオーディオ装置１００は、記録媒体としてＣＤ２１と、ＵＳＢメモリ２２とを切り替え、ＣＤ２１又はＵＳＢメモリ２２に記憶された楽曲データを再生してスピーカ２３に音声出力させる装置である。ＣＤ２１は、予めデータが記録された光ディスクである。ＵＳＢメモリ２２は、接続式の記録媒体であり、データを読み書き可能な外部メモリである。
【００２５】
オーディオ装置１００は、制御手段としてのシステムマイコン１１と、第１の表示手段としての表示部１２と、操作手段としての操作部１３と、接続手段としてのＵＳＢコントローラ１４と、ＣＤメカ部１５と、再生手段としてのＤＳＰ（Digital Signal Processor）１６、ＤＡＣ（Digital to Analog Converter）１７及びアンプ部１８と、を備えて構成される。
【００２６】
システムマイコン１１は、オーディオ装置１００内の各部を統括的に制御する。システムマイコン１１は、ＣＰＵ（Central Processing Unit）、ＲＡＭ（Random Access Memory）、ＲＯＭ（Read Only Memory）を備える。ＣＰＵは、各部を中央制御する。ＲＡＭは、情報を一時的に格納するメモリであり、プログラム等が展開されるワークエリアを有する。ＲＯＭは、情報を読み出し可能に記憶するメモリである。システムマイコン１１において、ＲＯＭから読み出されてＲＡＭに適宜展開されたプログラムと、ＣＰＵとの協働で各種処理が実行される。
【００２７】
システムマイコン１１は、ＵＳＢ再生プログラムに基づいて、操作部１３のＵＳＢ再生キーが押下されると、ＵＳＢメモリ２２がＵＳＢコントローラ１４に接続されているか否かを判別し、ＵＳＢメモリ２２が接続されていると判別すると、その接続後に、ＵＳＢメモリ２２のデータをＤＳＰ１６等に自動再生させる。
【００２８】
表示部１２は、ＬＣＤ（Liquid Crystal Display）、ＶＦＤ（Vacuum Fluorescent Display）、ＥＬＤ（ElectroLuminescent Display）等から構成される。また、表示部１２は、ＵＳＢ再生マークを表示（点灯）可能な機能を有する。ＵＳＢ再生マークは、点滅状態でＵＳＢメモリ２２の楽曲データの再生リクエストがオンされていることを示し、点灯状態でＵＳＢメモリ２２の楽曲データが再生実行されていることを示す。再生リクエストとは、ＵＳＢメモリ２２が接続されていない状態でのＵＳＢ再生キーの押下により、ＵＳＢメモリ２２のデータ再生が要求されてその再生が予約されている状態のことである。表示部１２は、システムマイコン１１の制御により、楽曲に関する情報、設定情報、操作情報等を表示する。
【００２９】
操作部１３は、数字や文字等の入力キー、メニューを選択する選択キー、ディスク取り出しキー等の各種キーを有する操作パネルを備える。この操作パネルは、ＣＤ２１に記録された楽曲データの再生指示の操作入力を受け付けるＣＤ再生キーと、ＵＳＢメモリ２２に記憶された楽曲データの再生指示の操作入力を受け付けるＵＳＢ再生キーと、それら再生の停止指示の操作入力を受け付ける停止キーと、を少なくとも有する。操作部１３は、ユーザによる、ＣＤ２１又はＵＳＢメモリ２２に記憶された楽曲データの再生開始、再生停止、再生条件の設定等の操作情報の入力を受け付け、その操作情報をシステムマイコン１１に出力する。
【００３０】
ＵＳＢコントローラ１４は、ＵＳＢを接続するＵＳＢ端子（ＵＳＢポート）を有する。ＵＳＢコントローラ１４は、そのＵＳＢ端子にＵＳＢメモリ２２等のＵＳＢデバイスが接続された場合に、その旨の信号をＤＳＰ１６を介してシステムマイコン１１に出力する。また、ＵＳＢコントローラ１４は、ＵＳＢ端子からＵＳＢデバイスが外れた場合に、その旨の信号をＤＳＰ１６を介してシステムマイコン１１に出力する。また、ＵＳＢコントローラ１４は、ＵＳＢ端子に接続されたＵＳＢデバイスに対してＵＳＢ規格に従ったデータ転送を行ったり、ＵＳＢデバイスに電力を供給したりする。本実施の形態では、ＵＳＢコントローラ１４は、ＵＳＢ端子に接続されたＵＳＢメモリ２２に記録されたデジタルデータを読み出しデジタル信号としてＤＳＰ１６に出力する。
【００３１】
ＵＳＢデバイスとしてのＵＳＢメモリ２２は、不揮発性半導体記憶メモリと、ＵＳＢ転送部等とを有する。ＵＳＢメモリ２２は、ＵＳＢコントローラ１４から給電された電力により動作し、ＵＳＢ転送部によりＵＳＢコントローラ１４との間でＵＳＢ規格に従ったデータ転送を行い、不揮発性半導体記憶メモリにデータの読み込み又は記録がなされる。
【００３２】
本実施の形態では、ＵＳＢメモリ２２には、所定形式（例えば、ＭＰ３形式、ＷＭＡ形式、ＡＡＣ形式又はＡＴＲＡＣ３形式）で圧縮されて符号化された楽曲データのファイルが記録され、そのファイルがＵＳＢコントローラ１４に転送される。なお、ＵＳＢメモリ２２には、楽曲データのファイル及び別のファイルの両方が記録されていても良い。
【００３３】
ＣＤメカ部１５は、ＣＤを装填する装填部、光ピックアップ、トラッキングスレッドサーボ回路、スピンドルサーボ回路、ＤＳＰ等により構成される（何れも図示しない）。ＣＤメカ部１５において、装填部に装填されたＣＤがスピンドルモータにより回転される。そのＣＤの表面に記録されたデータが光ピックアップにより読み取られ、ＤＳＰを介してデジタル信号として出力される。その際に、トラッキングスレッドサーボ回路によりＣＤ２１上の読み取り位置が調整され、スピンドルサーボ回路によりスピンドルモータの回転が調整される。ＣＤメカ部１５は、システムマイコン１１から入力される制御信号により、ＣＤ２１においてトラック毎に格納されたトラックデータの再生やＴＯＣ（Table  Of  Contents）エリア内の情報の読み取りに係る各種動作を行う。
【００３４】
ＤＳＰ１６は、システムマイコン１１から入力される制御信号に基づいて、ＵＳＢコントローラ１４、ＣＤメカ部１５から入力されるデジタル信号のデータに対して、ＭＰ３（MPEG-1 Audio Layer-3）方式やＷＭＡ（Windows Media(登録商標) Audio）への圧縮／伸張の処理、エラー訂正符号化の処理、ＥＦＭ（Eight to Fourteen Modulation）変調処理等の各種デジタル信号処理を施す。また、ＤＳＰ１６は、システムマイコン１１から入力される制御信号に基づいて、楽曲データの再生対象をＵＳＢコントローラ１４又はＣＤメカ部１５に切り替える入力セレクタとしての機能を有する。
【００３５】
ＤＡＣ１７は、ＤＳＰ１６から入力されたデジタルの電気信号をアナログの電気信号に変換して出力する。アンプ部１８は、ＤＡＣ１７から入力されたアナログの電気信号を増幅して出力する。スピーカ２３は、アンプ部１８から入力されたアナログの電気信号に基づいて音声を出力する。
【００３６】
次いで、図２及び図３を参照して、オーディオ装置１００の動作を説明する。図２に、ＵＳＢ再生処理の一部分の流れを示す。図３に、図２のＵＳＢ再生処理の他の部分の流れを示す。
【００３７】
例えば、オーディオ装置１００の電源がオンされたこと等をトリガとして、システムマイコン１１において、ＲＯＭから読み出されて適宜ＲＡＭに展開されたＵＳＢ再生プログラムと、ＣＰＵとの協働により、ＵＳＢ再生処理が実行される。
【００３８】
図２及び図３に示すように、先ず、操作部１３のＵＳＢ再生キーが押下入力されたか否かが判別される（ステップＳ１１）。
【００３９】
ＵＳＢ再生キーが入力されていない場合（ステップＳ１１；ＮＯ）、ステップＳ１１に移行される。ＵＳＢ再生キーが入力された場合（ステップＳ１１；ＹＥＳ）、ＤＳＰ１６の入力セレクタがＵＳＢメモリ２２（ＵＳＢコントローラ１４）側に切り替えられているか否かが判別される（ステップＳ１２）。入力セレクタがＵＳＢメモリ２２側に切り替えられていない場合（ステップＳ１２；ＮＯ）、ＤＳＰ１６の入力セレクタがＵＳＢメモリ２２側に切り替えられる（ステップＳ１３）。
【００４０】
入力セレクタがＵＳＢメモリ２２側に切り替えられている場合（ステップＳ１２；ＹＥＳ）、又はステップＳ１３の実行後、ＵＳＢコントローラ１４のＵＳＢ端子にＵＳＢメモリ２２が接続されているか否かが判別される（ステップＳ１４）。ＵＳＢ端子にＵＳＢメモリ２２が接続されている場合（ステップＳ１４；ＹＥＳ）、接続中のＵＳＢメモリ２２の管理データの読み込みが完了したか否かが判別される（ステップＳ１５）。管理データとは、楽曲データのファイルを管理するデータであり、例えば、楽曲データのファイルを格納するフォルダのフォルダ構造等のデータである。また、ＵＳＢメモリ２２が接続されると、自動的に管理データの読み込みが開始されるものとする。
【００４１】
ＵＳＢメモリ２２の管理データの読み込みが完了していない場合（ステップＳ１５；ＮＯ）、ステップＳ１５に移行される。ＵＳＢメモリ２２の管理データの読み込みが完了した場合（ステップＳ１５；ＹＥＳ）、ＵＳＢコントローラ１４に、ＵＳＢメモリ２２の楽曲データの再生要求がなされ、その再生が開始される（ステップＳ１６）。そして、表示部１２に再生中を示すＵＳＢ再生マークが点灯（表示）される（ステップＳ１７）。そして、ＵＳＢメモリ２２の楽曲データの再生が終了したか否かが判別される（ステップＳ１８）。ＵＳＢメモリ２２の楽曲データの再生が終了していない場合（ステップＳ１８；ＮＯ）、操作部１３の停止キーが押下入力されたか否かが判別される（ステップＳ１９）。停止キーが押下入力されていない場合（ステップＳ１９；ＮＯ）、ステップＳ１８に移行される。
【００４２】
ＵＳＢメモリ２２の楽曲データの再生が終了した場合（ステップＳ１８；ＹＥＳ）、又は停止キーが押下入力された場合（ステップＳ１９；ＹＥＳ）、ＵＳＢコントローラ１４に、ＵＳＢメモリ２２の楽曲データの再生停止要求がなされ、その再生が停止される（ステップＳ２０）。そして、表示部１２に点灯表示中又は点滅表示中のＵＳＢ再生マークが消灯され（表示終了され）（ステップＳ２１）、ＵＳＢ再生処理が終了する。
【００４３】
ＵＳＢ端子にＵＳＢメモリ２２が接続されていない場合（ステップＳ１４；ＮＯ）、ＵＳＢメモリ２２の再生リクエストがオンされているか否かが判別される（ステップＳ２２）。再生リクエストがオンされていない場合（ステップＳ２２；ＮＯ）、再生リクエストがオンされる（ステップＳ２３）。そして、表示部１２にＵＳＢ再生マークが点滅表示される（ステップＳ２４）。
【００４４】
再生リクエストがオンされている場合（ステップＳ２２；ＹＥＳ）、又はステップＳ２５の実行後、ＤＳＰ１６の入力セレクタがＵＳＢメモリ２２側からそれ以外（ＣＤ２１側（ＣＤメカ部１５側））に切り替えられたか否かが判別される（ステップＳ２５）。入力セレクタがＵＳＢメモリ２２側以外に切り替えられた場合（ステップＳ２５；ＹＥＳ）、再生リクエストがオンされたままステップＳ１１に移行される。
【００４５】
入力セレクタがＵＳＢメモリ２２側のままである場合（ステップＳ２５；ＮＯ）、操作部１３の停止キーが押下入力されたか否かが判別される（ステップＳ２６）。停止キーが押下入力された場合（ステップＳ２６；ＹＥＳ）、再生リクエストがオフされ（ステップＳ２７）、ステップＳ２１に移行される。停止キーが押下入力されていない場合（ステップＳ２６；ＮＯ）、ＵＳＢコントローラ１４のＵＳＢ端子にＵＳＢメモリ２２が接続されているか否かが判別される（ステップＳ２８）。ＵＳＢ端子にＵＳＢメモリ２２が接続されていない場合（ステップＳ２８；ＮＯ）、ステップＳ２５に移行される。ＵＳＢ端子にＵＳＢメモリ２２が接続された場合（ステップＳ２８；ＹＥＳ）、ステップＳ１５に移行される。
【００４６】
以上、本実施の形態によれば、ＵＳＢメモリ２２が接続されていなくても、ＵＳＢ再生キーを押下すると、ＵＳＢメモリ２２接続後に、ＵＳＢメモリ２２に記録された楽曲データを自動再生する。このため、ＵＳＢ再生キー押下が一度でよく、ＵＳＢメモリ２２のデータ再生の操作を容易にできる。
【００４７】
また、ＵＳＢ再生キーが押下され且つＵＳＢメモリ２２が接続されていない期間に、ＵＳＢ再生マークの点滅により、ＵＳＢメモリ２２の再生リクエストがある旨を表示する。このため、ＵＳＢメモリ２２の再生リクエストがある旨をユーザが目視により容易に知ることができる。
【００４８】
（変形例）
図４及び図５を参照して、上記実施の形態の変形例を説明する。上記実施の形態では、ＵＳＢメモリ２２が未接続の状態でＵＳＢ再生キーを押下することにより、その接続時にＵＳＢメモリ２２の楽曲データを自動再生する構成であった。本変形例では、ＵＳＢメモリ２２が未接続の状態でＵＳＢ録音キーを押下することにより、その接続時にＵＳＢメモリ２２に楽曲データを自動録音する構成である。
【００４９】
本変形例では、上記実施の形態のオーディオ装置１００を用いる。このため、上記実施の形態と異なる構成部分を主として説明する。
【００５０】
システムマイコン１１は、後述するＵＳＢ録音処理を実行する。第２の表示手段としての表示部１２は、ＵＳＢ録音マークを表示する機能を有する。ＵＳＢ録音マークは、点滅状態でＵＳＢメモリ２２への楽曲データの録音リクエストがオンされていることを示し、点灯状態でＵＳＢメモリ２２への楽曲データが録音実行されていることを示す。再生リクエストとは、ＵＳＢメモリ２２が接続されていない状態でのＵＳＢ再生キーの押下により、ＵＳＢメモリ２２へのデータ録音が要求されてその録音が予約されている状態のことである。操作部１３は、ＵＳＢ録音キー、停止キーを含む操作パネルを有する。ＵＳＢコントローラ１４は、ＤＳＰ１６から入力されるデジタルデータを、ＵＳＢ端子に接続されたＵＳＢメモリ２２に出力して記録させる。
【００５１】
次いで、本変形例におけるオーディオ装置１００の動作を説明する。図４に、ＵＳＢ録音処理の一部分の流れを示す。図５に、図４のＵＳＢ録音処理の他の部分の流れを示す。
【００５２】
例えば、オーディオ装置１００の電源がオンされたこと等をトリガとして、システムマイコン１１において、ＲＯＭから読み出されて適宜ＲＡＭに展開されたＵＳＢ録音プログラムと、ＣＰＵとの協働により、ＵＳＢ録音処理が実行される。
【００５３】
本変形例において、ＵＳＢ録音処理における録音とは、ＣＤメカ部１５にセットされたＣＤ２１に記録された楽曲データをＵＳＢメモリ２２に記録することをいうものとする。例えば、ＵＳＢメモリ２２への録音要求と連動して、システムマイコン１１の制御により、ＣＤメカ部１５でＣＤ２１の楽曲データの読み込み（再生）がなされ、その楽曲データがＤＳＰ１６を介してＵＳＢコントローラ１４に転送され、ＵＳＢコントローラ１４によりＵＳＢメモリ２２に記録される。予め、録音元のＣＤ２１がＣＤメカ部１５にセットされているものとし、録音対象の楽曲が操作部１３を介してユーザに設定入力されているものとする。また、ＤＳＰ１６、ＵＳＢコントローラ１４は、記録手段として機能する。
【００５４】
図４及び図５に示すように、先ず、操作部１３のＵＳＢ録音キーが押下入力されたか否かが判別される（ステップＳ３１）。
【００５５】
ＵＳＢ録音キーが入力されていない場合（ステップＳ３１；ＮＯ）、ステップＳ３１に移行される。ＵＳＢ録音キーが入力された場合（ステップＳ３１；ＹＥＳ）、ＵＳＢコントローラ１４のＵＳＢ端子にＵＳＢメモリ２２が接続されているか否かが判別される（ステップＳ３２）。
【００５６】
ＵＳＢ端子にＵＳＢメモリ２２が接続されている場合（ステップＳ３２；ＹＥＳ）、接続中のＵＳＢメモリ２２の管理データの読み込みが完了したか否かが判別される（ステップＳ３３）。ＵＳＢメモリ２２の管理データの読み込みが完了していない場合（ステップＳ３３；ＮＯ）、ステップＳ３３に移行される。
【００５７】
ＵＳＢメモリ２２の管理データの読み込みが完了した場合（ステップＳ３３；ＹＥＳ）、読み込んだ管理データに基づいて、接続中のＵＳＢメモリ２２に空き容量があるか否かが判別される（ステップＳ３４）。ＵＳＢメモリ２２に空き容量がある場合（ステップＳ３４；ＹＥＳ）、ＣＤメカ部１５、ＤＳＰ１６及びＵＳＢコントローラ１４に、ＵＳＢメモリ２２へのＣＤ２１の録音対象楽曲データの録音要求がなされ、その録音が開始される（ステップＳ３５）。そして、表示部１２に録音中を示すＵＳＢ録音マークが点灯（表示）される（ステップＳ３６）。そして、ＵＳＢメモリ２２の容量がフルであるか否かが判別される（ステップＳ３７）。ＵＳＢメモリ２２の容量がフルでない場合（ステップＳ３７；ＮＯ）、操作部１３の停止キーが押下入力されたか否かが判別される（ステップＳ３８）。停止キーが押下入力されていない場合（ステップＳ３８；ＮＯ）、ステップＳ３７に移行される。
【００５８】
ＵＳＢメモリ２２の容量がフルである場合（ステップＳ３７；ＹＥＳ）、又は停止キーが押下入力された場合（ステップＳ３８；ＹＥＳ）、ＵＳＢコントローラ１４に、ＵＳＢメモリ２２への楽曲データの録音停止要求がなされ、その録音が停止される（ステップＳ３９）。そして、表示部１２に点灯表示中又は点滅表示中のＵＳＢ録音マークが消灯され（表示終了され）（ステップＳ４０）、ＵＳＢ録音処理が終了する。
【００５９】
ＵＳＢメモリ２２に空き容量がない場合（ステップＳ３４；ＮＯ）、ステップＳ４０に移行される。ＵＳＢ端子にＵＳＢメモリ２２が接続されていない場合（ステップＳ３２；ＮＯ）、ＵＳＢメモリ２２の録音リクエストがオンされる（ステップＳ４１）。そして、表示部１２にＵＳＢ録音マークが点滅表示される（ステップＳ４２）。
【００６０】
そして、操作部１３の停止キーが押下入力されたか否かが判別される（ステップＳ４３）。停止キーが押下入力された場合（ステップＳ４３；ＹＥＳ）、録音リクエストがオフされ（ステップＳ４４）、ステップＳ４０に移行される。停止キーが押下入力されていない場合（ステップＳ４３；ＮＯ）、ＵＳＢコントローラ１４のＵＳＢ端子にＵＳＢメモリ２２が接続されているか否かが判別される（ステップＳ４５）。ＵＳＢ端子にＵＳＢメモリ２２が接続されていない場合（ステップＳ４５；ＮＯ）、ステップＳ４３に移行される。ＵＳＢ端子にＵＳＢメモリ２２が接続された場合（ステップＳ４５；ＹＥＳ）、ステップＳ３３に移行される。
【００６１】
以上、本変形例によれば、ＵＳＢメモリ２２が接続されていなくても、ＵＳＢ録音キーを押下すると、ＵＳＢメモリ２２接続後に、ＵＳＢメモリ２２へＣＤ２１の楽曲データを自動録音する。このため、ＵＳＢ録音キー押下が一度でよく、ＵＳＢメモリ２２へのデータ録音の操作を容易にできる。
【００６２】
また、ＵＳＢ録音キーが押下され且つＵＳＢメモリ２２が接続されていない期間に、ＵＳＢ録音マークの点滅により、ＵＳＢメモリ２２への録音リクエストがある旨を表示する。このため、ＵＳＢメモリ２２への録音リクエストがある旨をユーザが目視により容易に知ることができる。
【００６３】
なお、上記実施の形態及び変形例における記述は、本発明に係る情報処理装置、情報処理方法及び情報処理プログラムの一例であり、これに限定されるものではない。
【００６４】
上記実施の形態及び変形例では、情報処理装置を、オーディオ装置１００として説明したが、これに限定されるものではない。例えば、接続式の記録媒体にアクセスする機能を有するＰＣ（Personal Computer）等、他の情報処理装置としてもよい。
【００６５】
また、上記実施の形態及び変形例では、再生又は記録するデータを、楽曲データとして説明したが、これに限定されるものではない。例えば、再生又は記録するデータを、静止画又は動画（スライドショー等を含む）の画像データ等、他のデータとしてもよい。
【００６６】
また、上記実施の形態及び変形例では、再生対象又は記録先の接続式の記録媒体を、ＵＳＢメモリ２２として説明したが、これに限定されるものではない。例えば、再生対象又は記録先の接続式の記録媒体を、ＵＳＢデジタルオーディオプレーヤ、ＵＳＢのＨＤＤ等のＵＳＢ機器や、ＳＤカード等のメモリカード等の他の接続方式の記録媒体等、他の接続式の記録媒体としてもよい。特に、メモリカード等の接続部が、スロット式等、本体に接続されているか否かをユーザが目視により確認することが困難なものである場合に、自動再生又は自動記録の操作の容易化がより効果的となる。
【００６７】
また、上記変形例では、データ記録元をＣＤ２１として説明したが、これに限定されるものではない。例えば、記録するデータが楽曲データの場合には、データ記録元を、ＭＤ、カセットテープ等、他の記録媒体としたり、ラジオ放送や、マイク等で録音する生録音データ等としてもよい。記録するデータが画像データの場合には、データ記録元を、ＤＶＤ（Digital Versatile Disk）、ＢＤ（Blu-ray Disc）等、他の記録媒体としたり、テレビ放送や、カメラ等で録画する生録画データ等としてもよい。
【００６８】
また、上記実施の形態と上記変形例とを組み合わせる構成としてもよい。
【００６９】
その他、上記実施の形態におけるオーディオ装置１００の細部構成及び詳細動作に関しても、本発明の趣旨を逸脱しない範囲で適宜変更可能である。
【図面の簡単な説明】
【００７０】
【図１】本発明に係る実施の形態のオーディオ装置１００の構成を示すブロック図である。
【図２】ＵＳＢ再生処理の一部分を示すフローチャートである。
【図３】図２のＵＳＢ再生処理の他の部分を示すフローチャートである。
【図４】ＵＳＢ録音処理の一部分を示すフローチャートである。
【図５】図４のＵＳＢ録音処理の他の部分を示すフローチャートである。
【図６】従来のＵＳＢ再生処理を示すフローチャートである。
【符号の説明】
【００７１】
１００  オーディオ装置
１１  システムマイコン
１２  表示部
１３  操作部
１４  ＵＳＢコントローラ
１５  ＣＤメカ部
１６  ＤＳＰ
１７  ＤＡＣ
１８  アンプ部
２１  ＣＤ
２２  ＵＳＢメモリ
２３  スピーカ
【図１】
2008203742.tif 000003
【図２】
2008203742.tif 000004
【図３】
2008203742.tif 000005
【図４】
2008203742.tif 000006
【図５】
2008203742.tif 000007
【図６】
2008203742.tif 000008